【事件の表示】
　特願２０１４−５０８８９１「カラー外観が低減された蛍光体増強照明装置、レトロフィット電球及び管電球」拒絶査定不服審判事件〔平成２４年１１月１５日国際公開、ＷＯ２０１２／１５３２１２、平成２６年　６月１９日国内公表、特表２０１４−５１４７７３、請求項の数（１４）〕について、次のとおり審決する。
【結　論】
　原査定を取り消す。
　本願の発明は、特許すべきものとする。
【理　由】
第１　手続の経緯
　本願は、平成２４年４月１７日（パリ条約による優先権主張外国庁受理　２０１１年５月６日、欧州特許庁）を国際出願日とする出願であって、平成２７年４月１４日付けで手続補正がされ、同年１２月２２日付けで拒絶理由通知がされ、平成２８年３月２８日付けで意見書が提出され、平成２８年８月２３日付け（同年９月７日送達）で拒絶査定（原査定）がされ、これに対し、平成２９年１月５日に拒絶査定不服審判の請求がされると同時に手続補正がされたものである。
第２　原査定の概要
　原査定（平成２８年８月２３日付け拒絶査定）の概要は次のとおりである。
「（進歩性）この出願の請求項１〜１５に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　記
　引用文献１．特開２００８−１４７１９０号公報
　引用文献２．特表２０１０−５２５５１２号公報
　引用文献３．国際公開第２０１０／１１６２９４号（周知技術文献）
　引用文献４．特開２００６−２７８９８０号公報（周知技術文献）
　引用文献５．特開２００７−８８４７２号公報（周知技術文献）
第３　本願発明
　本願請求項１〜１４に係る発明（以下、それぞれ「本願発明１」〜「本願発明１４」という。）は、平成２９年１月５日付けの手続補正で補正された特許請求の範囲の請求項１〜１４に記載された事項により特定される発明であり、本願発明１及び本願発明４は以下のとおりの発明である。
「【請求項１】
　予め定められた色スペクトルの光源光を出射するための発光面を有する光源と、
　蛍光体増強照明装置の周囲に光を出射するための光出口窓と、
　前記光源光の一部を吸収し、当該吸収された光の一部を第一の色の光に変換する無機発光体を含む第一光変換素子と、
　前記光源光の一部及び／又は前記第一の色の前記光の一部を吸収し、当該吸収された光の一部を第二の色の光に変換する第一の有機発光体を含む第二光変換素子とを備え、
　前記第二光変換素子は、光学的に、前記光出口窓と前記光源の前記発光面との間に配置され、前記第一光変換素子は、光学的に、前記第二変換素子と前記光源の前記発光面との間に配置され、前記第一光変換素子と前記第二光変換素子との間には、ギャップが存在し、
　前記ギャップは真空によって形成され又は前記ギャップは流体で充填され、
　前記第二光変換素子は、前記第一の有機発光体を含み第二の有機発光体を含まない第一の層、及び、前記第二の有機発光体を含み前記第一の有機発光体を含まない第二の層を含む複数の層のスタックである、蛍光体増強照明装置。」
「【請求項４】
　予め定められた色スペクトルの光源光を出射するための発光面を有する光源と、
　蛍光体増強照明装置の周囲に光を出射するための光出口窓と、
　前記光源光の一部を吸収し、当該吸収された光の一部を第一の色の光に変換する無機発光体を含む第一光変換素子と、
　前記光源光の一部及び／又は前記第一の色の前記光の一部を吸収し、当該吸収された光の一部を第二の色の光に変換する第一の有機発光体を含む第二光変換素子とを備え、
　前記第二光変換素子は、光学的に、前記光出口窓と前記光源の前記発光面との間に配置され、前記第一光変換素子は、光学的に、前記第二変換素子と前記光源の前記発光面との間に配置され、前記第一光変換素子と前記第二光変換素子との間には、ギャップが存在し、
　前記ギャップは真空によって形成され又は前記ギャップは流体で充填され、
　前記第一光変換素子は、前記第一光変換素子の底面が前記光源の前記発光面に接するように前記光源の前記発光面直上に配置されて、前記第一光変換素子の底面が前記光源の前記発光面と実質的に同じ大きさで存在する、
蛍光体増強照明装置。」
　なお、本願発明２、３、７〜１４は、本願発明１を減縮した発明であり、本願発明５、６、１３、１４は、本願発明４を減縮した発明である。
第４　引用文献、引用発明等
１　引用文献１について
（１）原査定の拒絶の理由に引用された引用文献１には、図面とともに次の事項が記載されている。なお、下線は当審で付与したものである。以下、同様。 
ア「【００１０】
  好ましい実施形態によると、前記青色ＬＥＤチップは１０〜３０ｎｍの半値幅（ＦＷＨＭ）を有し、前記緑色蛍光体は３０〜１００ｎｍの半値幅を有し、前記赤色蛍光体は５０〜２００ｎｍの半値幅を有する。本発明の実施形態によると、前記
赤色蛍光体はＣａＡｌＳｉＮ
３
：Ｅｕ及び（Ｃａ、Ｓｒ）Ｓ：Ｅｕのうち、少なくとも一つを含む
緑色蛍光体はＡ
２
ＳｉＯ
４
：Ｅｕ（ＡはＢａ、Ｓｒ及びＣａのうちから選ばれた少なくとも一つ）、ＳｒＧａ
２
Ｓ
４
：Ｅｕ及びβ―ＳｉＡｌＯＮのうち少なくとも一つを含む
イ「【００３４】
  図３は本発明の他の実施形態による白色発光装置２００及びこれを含む白色光源モジュール５２０を概略的に示した断面図である。図３の実施形態でも、青色ＬＥＤチップ１０３はチップオンボード（Ｃｈｉｐ−Ｏｎ―Ｂｏａｒｄ）方式で回路基板１０１上に直接実装されており、青色ＬＥＤチップ１０３及びこれにより励起される赤色蛍光体及び緑色蛍光体が単位区域の白色発光装置２００を形成する。また、最大限の色再現性を有するように青色ＬＥＤチップ１０３、赤色蛍光体及び緑色蛍光体は、前述の主波長及び色座標範囲（即ち、４４３〜４５５ｎｍの主波長範囲、ＣＩＥ１９３１色座標系上で（０．５４４８、０．４５４４）、（０．７０７９、０．２９２０）、（０．６４２７、０．２９０５）及び（０．４７９４、０．４６３３）からなる四角区域、（０．１２７０、０．８０３７）、（０．４１１７、０．５８６１）、（０．４１９７、０．５３１６）及び（０．２５５５、０．５０３０）からなる四角区域）内の主波長と色座標を有する。
【００３５】
  しかし、本実施形態では、赤色及び緑色蛍光体が樹脂包装部内に分散混入されているものではなく、蛍光体膜の形態で提供される。具体的に、図３に図示されたとおり、緑色蛍光体を含んだ緑色蛍光体膜２０５が青色ＬＥＤチップ１０３の表面に沿って薄く塗布されており、その上に半球形状の透明樹脂包装部２３０が形成されている。透明樹脂包装部２３０上には赤色蛍光体を含んだ赤色蛍光体膜２０７が樹脂包装部２３０の表面上に塗布されている。緑色蛍光体膜２０５と赤色蛍光体膜２０7は相互にその位置を変えることもできる。（即ち、赤色蛍光体膜２０７がＬＥＤチップ１０３上に塗布され、緑色蛍光体膜２０５が樹脂包装部２３０上に塗布されることもできる）。緑色蛍光体膜２０５と赤色蛍光体膜２０７は、例えば、それぞれの蛍光体粒子を含んだ樹脂膜からなることができる。
蛍光体膜
内に含まれた各蛍光体として
ウ「【００４２】
  図５は本発明のさらに他の実施形態による白色発光装置４００及びこれを含む白色光源モジュール５４０を概略的に示した断面図である。図５を参照すると、図４の実施形態と同様に、各
白色発光装置４００は、反射コップを有するパッケージ本体４１０と反射コップ内に実装された青色ＬＥＤチップ１０３を含む
【００４３】
  しかし、本実施形態では、赤色及び緑色蛍光体が樹脂包装部内に分散混入されておらず、蛍光体膜の形態で提供される。即ち、
緑色（または、赤色）蛍光体膜４０５または４０７が青色ＬＥＤチップ１０３の表面に沿って薄く塗布されており、その上に透明樹脂包装部４３０が形成されており、透明樹脂包装部４３０の表面上に赤色（または、緑色）蛍光体膜４０７または４０５が塗布されている
【００４４】
  
図３の実施形態と同様に、
樹脂包装部４３０によって分離された緑色蛍光体膜４０５と赤色蛍光体膜４０７を使用する
エ　図５は、以下のものである。
「【図５】
　してみると、引用文献１には、以下の発明（以下「引用発明１」という。）が記載されていると認められる。  
（２）引用発明１
「白色発光装置４００は、反射コップを有するパッケージ本体４１０と反射コップ内に実装された青色ＬＥＤチップ１０３を含み、
　緑色（または、赤色）蛍光体膜４０５または４０７が青色ＬＥＤチップ１０３の表面に沿って薄く塗布されており、その上に透明樹脂包装部４３０が形成されており、透明樹脂包装部４３０の表面上に赤色（または、緑色）蛍光体膜４０７または４０５が塗布されており、
　蛍光体膜内に含まれた各蛍光体として、
　赤色蛍光体はＣａＡｌＳｉＮ３：Ｅｕ及び（Ｃａ、Ｓｒ）Ｓ：Ｅｕのうち、少なくとも一つを含み、緑色蛍光体はＡ２ＳｉＯ４：Ｅｕ（ＡはＢａ、Ｓｒ及びＣａのうちから選ばれた少なくとも一つ）、ＳｒＧａ２Ｓ４：Ｅｕ及びβ―ＳｉＡｌＯＮのうち少なくとも一つを含み、
　樹脂包装部４３０によって分離された緑色蛍光体膜４０５と赤色蛍光体膜４０７を使用する、白色発光装置４００。」
２　引用文献２について
（１）原査定の拒絶の理由に引用された引用文献２には、図面とともに次の事項が記載されている。 
ア「【０００９】
  本発明の第１の面によれば、上記目的は、第１の原色の光を放出するように構成されている
半導体発光デバイスを含む照明システムであって、この半導体デバイスが、第１の原色の光の少なくとも一部分を吸収して第２の原色の光を放出するように構成されている第１の発光素子と、上記半導体発光デバイスから物理的に離間し、第１または第２の原色の光の少なくとも一部分を吸収して第３の原色の光を放出するように構成されている第２の発光素子とを含み、上記照明システムが、上記第１、第２及び第３の原色の少なくとも１つまたはそれ以上を組合せて上記照明システムの出力光を形成するように構成され
イ「【００２０】
  本発明の一つの面によれば照明システムが提供され、該照明システムにおいては、第１の
発光素子は、
蛍光体材料の層からなる
　・・・（途中省略）・・・
【００２２】
  本発明の一つの面によれば照明システムが提供され、該照明システムにおいては、
第１の発光素子は、ＹＡＧ：Ｃｅ、（Ｙ，Ｇｄ）ＡＧ：Ｃｅ、（Ｙ，Ｌｕ）ＡＧ：Ｃｅ、（Ｙ，Ｌｕ，Ｇｄ）ＡＧ：Ｃｅ、及びＬｕＡＧ：Ｃｅ、ＹＡＧＳＮ：Ｃｅ、（Ｙ，Ｌｕ，Ｇｄ）ＡＧＳＮ：Ｃｅ、ＬｕＡＧＳＮ：Ｃｅ及びこれらの何等かの組合せからなるグループから選択された蛍光体材料を備え
【００２３】
  本発明の一つの面によれば照明システムが提供され、該照明システムにおいては、
第１の発光素子は、
オキシニトリド・ケイ酸塩蛍光体である蛍光体材料からなる
　・・・（途中省略）・・・
【００２６】
  本発明の一つの面によれば照明システムが提供され、該照明システムにおいては、
第２の発光素子は、ＳＣＳＮ：Ｅｕ、ＳＳＮ：Ｅｕ、ＢＳＳＮ：Ｅｕ、（Ｙ，Ｇｄ）ＡＧ：Ｃｅ、（Ｙ，Ｌｕ）ＡＧ：Ｃｅ、（Ｙ，Ｌｕ，Ｇｄ）ＡＧ：Ｃｅ、ＹＡＧ：Ｃｅ、ＬｕＡＧ：Ｃｅ、ＬｕＡＧＳＮ：Ｃｅ、ＴＧ：Ｅｕ、ＳＳＯＮ：Ｅｕ、ＹＡＧＳＮ：Ｃｅ、ＳＣＡＳＮ：Ｅｕ、ＣＡＳＮ：Ｅｕ、（Ｃａ，Ｓｒ）Ｓ：Ｅｕ、ＳｒＳ：Ｅｕ、ＣａＳ：Ｅｕ、ＢＯＳＥ、及びこれらの何等かの組合せからなるグループから選択された少なくとも１つの蛍光体材料からなる
ウ「【００７３】
  図５は、本発明による照明システムの概要断面図である。照明システム１２は、図１の照明システム１０と以下の点が異なっている。
  ａ）第２の蛍光体層４５は、１つより多くの蛍光体材料からなる。図５においては、
第２の蛍光体層４５は２つの隣接する副層、即ち、第１の蛍光体副層４５ａと第２の蛍光体副層４５ｂとからなる
エ「【００９３】
  図１４、図１５、及び図１６は、機能的及び／または装飾的要求に適する照明システム８を示す図であって、これら照明システム８は、上述した本発明の実施の形態と類似の手法で構築し、動作させることができる。この照明システムの長所は、第２の発光素子内に含まれる蛍光体材料を、主として色特徴手段（出力光５２の色点を広範囲の色に調整することができる）上で選択できることである。これは、装飾応用において特に有利である。」
オ　図１５は、以下のものである。
「【図１５】
カ　図１５から、
カップ状部材の内側底部に、チップ２１上に第１の蛍光体層４１が形成された半導体発光デバイス２０が配置され、第１の蛍光体層４１から離間して上部に第２の蛍光体層４２，４５が配置され、出力光５２はカップ状部材を覆う部材を透過する
　また、発光素子は蛍光体材料の層からなるものであること（段落【００２０】の記載参照。）から、「第１の発光素子」、「第２の発光素子」は、それぞれ図１５の「第１の蛍光体層４１」、「第２の蛍光体層４２，４５」に対応し、「
第１の発光素子は、第１の蛍光体層４１からなり、第２の発光素子は、第２の蛍光体層４２，４５からなる
　してみると、引用文献２には、以下の発明（以下「引用発明２」という。）が記載されていると認められる。  
（２）引用発明２
「半導体発光デバイスを含む照明システムであって、この半導体デバイスが、第１の原色の光の少なくとも一部分を吸収して第２の原色の光を放出するように構成されている第１の発光素子と、上記半導体発光デバイスから物理的に離間し、第１または第２の原色の光の少なくとも一部分を吸収して第３の原色の光を放出するように構成されている第２の発光素子とを含み、上記照明システムが、上記第１、第２及び第３の原色の少なくとも１つまたはそれ以上を組合せて上記照明システムの出力光を形成するように構成され、
　第１の発光素子は、ＹＡＧ：Ｃｅ、（Ｙ，Ｇｄ）ＡＧ：Ｃｅ、（Ｙ，Ｌｕ）ＡＧ：Ｃｅ、（Ｙ，Ｌｕ，Ｇｄ）ＡＧ：Ｃｅ、及びＬｕＡＧ：Ｃｅ、ＹＡＧＳＮ：Ｃｅ、（Ｙ，Ｌｕ，Ｇｄ）ＡＧＳＮ：Ｃｅ、ＬｕＡＧＳＮ：Ｃｅ及びこれらの何等かの組合せからなるグループから選択された蛍光体材料を備え、または、第１の発光素子は、オキシニトリド・ケイ酸塩蛍光体である蛍光体材料からなり、
　第２の発光素子は、ＳＣＳＮ：Ｅｕ、ＳＳＮ：Ｅｕ、ＢＳＳＮ：Ｅｕ、（Ｙ，Ｇｄ）ＡＧ：Ｃｅ、（Ｙ，Ｌｕ）ＡＧ：Ｃｅ、（Ｙ，Ｌｕ，Ｇｄ）ＡＧ：Ｃｅ、ＹＡＧ：Ｃｅ、ＬｕＡＧ：Ｃｅ、ＬｕＡＧＳＮ：Ｃｅ、ＴＧ：Ｅｕ、ＳＳＯＮ：Ｅｕ、ＹＡＧＳＮ：Ｃｅ、ＳＣＡＳＮ：Ｅｕ、ＣＡＳＮ：Ｅｕ、（Ｃａ，Ｓｒ）Ｓ：Ｅｕ、ＳｒＳ：Ｅｕ、ＣａＳ：Ｅｕ、ＢＯＳＥ、及びこれらの何等かの組合せからなるグループから選択された少なくとも１つの蛍光体材料からなり、
　第１の発光素子は、第１の蛍光体層４１からなり、第２の発光素子は、第２の蛍光体層４２，４５からなり、
　カップ状部材の内側底部に、チップ２１上に第１の蛍光体層４１が形成された半導体発光デバイス２０が配置され、第１の蛍光体層４１から離間して上部に第２の蛍光体層４２，４５が配置され、出力光５２はカップ状部材を覆う部材を透過するものであり、
　第２の蛍光体層４５は２つの隣接する副層、即ち、第１の蛍光体副層４５ａと第２の蛍光体副層４５ｂとからなる、
　照明システム。」
３　引用文献３について
（１）原査定の拒絶の理由に引用された引用文献３には、図面とともに次の事項が記載されている。なお、日本語の翻訳は、引用文献３のファミリー文献である特表２０１２−５２３１１５号公報によるものである。
ア「In an embodiment of the luminescent converter, the second luminescent material is selected from a group comprising: perylene derivatives such as lumogen F materials (e.g. 083 (yellow), 170 (yellow), 240 (orange), 305 (red), 850 (green), difluoro-boraindacene derivatives (BODIPY), Fluorescein dyes , fluerene derivatives, coumarin dyes, xanthene dyes, pyrromethene-BF2 (P-BF2) complexes, Stilbene derivatives, Rodamine dyes, perylene carboximide dyes, and luminescent polymers such as polyphenylenevinilene (PPV), polyphenyl derivatives.
 
The first luminescent material, for example, may comprise the following inorganic luminescent materials and/or mixtures thereof which absorb ultraviolet light or blue light:」（８頁１５行〜２４行）
「【００２２】
  前記発光変換装置のひとつの実施態様において、
前記第二の発光材料は：ルモゲンＦ材料（即ち０８３（黄色）、１７０（黄色）、２４０（オレンジ）、３０５（赤）、８５０（緑）などのペリレン誘導体、ジフロロ−ボオロインダセン誘導体（ＢＯＤＩＰＹ）、フルオレセイン色素、フルオレイン誘導体、クマリン色素、キサンテン色素、ピロメテン−ＢＦ２（Ｐ−ＢＦ２）化合物、スチルベン誘導体、ローダミン色素、ペリレンカルボキシミド色素、及びポリフェニレンビニレン（ＰＰＶ）、ポリフェニレン誘導体を含む群から選択され
【００２３】
  
前記第一の発光材料は、
無機発光材料及び／又はそれらの混合物であって、紫外線又は青色光を吸収するものである
イ「Figs. 2A and 2B show an embodiment of a phosphor-enhanced light source 100 comprising a solid-state light emitter 40 and a luminescent converter 10 according to the invention. Fig. 2A show an assembled phosphor-enhanced light source 100 and Fig. 2B shows the individual elements 20, 30, 40, 60 of the phosphor-enhanced light source 100. On the solid-state light emitter 40 a first luminescent material 20 is configured for converting at least a part of the excitation light hvO emitted by the solid-state light emitter 40 into first emission light hvl. Subsequently, on top of the first luminescent material 20 a second luminescent material 30 is arranged which is configured for converting at least a part of the first emission light hvl into second emission light hv2. Because not all of the excitation light hvO and not all of the first emission light hvl is converted, the emission of the phosphor- enhanced light source 100 typically comprises a mixture of the excitation light hvO, the first emission light hvl and the second emission light hv2. In addition, a light shaping element 60 may be applied on top of the second luminescent material 30 to shape the light emitted by the phosphor-enhanced light source 100.」（１５頁３行〜１６行）
「【００３９】
  図２Ａ及び２Ｂは
フォスファ強化光源１００であって、半導体発光素子４０及び
発光変換装置１０を含む
半導体発光素子４０上に、第一の発光材料２０は、前記半導体発光素子４０から発光される励起光ｈｖ０の少なくとも一部分を第一の発光ｈｖ１へ変換するように構成され
前記第一の発光材料２０の上に、第二の発光材料３０が、前記第一の発光ｈｖ１の少なくとも一部を第二の発光ｈｖ２へ変換するように構成され
フォスファ強化光源１００の発光は通常、励起光ｈｖ０、前記第一に発光ｈｖ１及び前記第二の発光ｈｖ２が含まれる。
ウ　ＦＩＧ．２Ａ、２Ｂは、以下のものである。
エ　してみると、引用文献３には、以下の技術事項が記載されていると認められる。 
「フォスファ強化光源１００であって、半導体発光素子４０及び発光変換装置１０を含み、　半導体発光素子４０上に、第一の発光材料２０は、前記半導体発光素子４０から発光される励起光ｈｖ０の少なくとも一部分を第一の発光ｈｖ１へ変換するように構成され、
　前記第一の発光材料２０の上に、第二の発光材料３０が、前記第一の発光ｈｖ１の少なくとも一部を第二の発光ｈｖ２へ変換するように構成され、
　フォスファ強化光源１００の発光は通常、励起光ｈｖ０、前記第一に発光ｈｖ１及び前記第二の発光ｈｖ２が含まれ、
　前記第一の発光材料は、無機発光材料及び／又はそれらの混合物であって、紫外線又は青色光を吸収するものであり、
　前記第二の発光材料は：ルモゲンＦ材料（即ち０８３（黄色）、１７０（黄色）、２４０（オレンジ）、３０５（赤）、８５０（緑）などのペリレン誘導体、ジフロロ−ボオロインダセン誘導体（ＢＯＤＩＰＹ）、フルオレセイン色素、フルオレイン誘導体、クマリン色素、キサンテン色素、ピロメテン−ＢＦ２（Ｐ−ＢＦ２）化合物、スチルベン誘導体、ローダミン色素、ペリレンカルボキシミド色素、及びポリフェニレンビニレン（ＰＰＶ）、ポリフェニレン誘導体を含む群から選択される、
　フォスファ強化光源１００。」
４　引用文献４について
（１）原査定の拒絶の理由に引用された引用文献４には、図面とともに次の事項が記載されている。
ア「【００３１】
  （第２の実施の形態）
  第２の実施の形態に係る
半導体発光装置（白色ＬＥＤ装置）
実装部材（カップ）２内にマウントされた発光素子（ＬＥＤチップ）３とを備え
無機蛍光体１０ａを含有する無機蛍光体含有樹脂層４ａは、発光素子３の周囲を覆う位置に配置され、
有機蛍光体１０ｂを含有する有機蛍光体含有樹脂層４ｂは、無機蛍光体含有樹脂層４ａ上に配置され、
イ　図３は、以下のものである。
ウ　してみると、引用文献４には、以下の技術事項が記載されていると認められる。
「実装部材（カップ）２内にマウントされた発光素子（ＬＥＤチップ）３を備え、
　無機蛍光体１０ａを含有する無機蛍光体含有樹脂層４ａは、発光素子３の周囲を覆う位置に配置され、
　有機蛍光体１０ｂを含有する有機蛍光体含有樹脂層４ｂは、無機蛍光体含有樹脂層４ａ上に配置された、
　半導体発光装置（白色ＬＥＤ装置）。」
５　引用文献３及び４に記載された周知技術について
　上記引用文献３及び４に記載された技術事項から、「半導体発光素子上に、無機蛍光体を含有する層を配置し、その上に有機蛍光体を含有する層を配置した発光装置」は、本願の優先日前において周知技術であった認められる。
６　引用文献５について
（１）原査定の拒絶の理由に引用された引用文献５には、図面とともに次の事項が記載されている。
ア「【００１９】
  図２は、本発明の一実施形態に係るＬＥＤパッケージ１００の構造を示す縦断面図である。図２を参照すると、
ＬＥＤパッケージ１００は、凹部１０９を有するパッケージ本体１０１と、このパッケージ本体１０１に搭載されたＬＥＤチップ１０７とを備え
【００２０】
  図２に図示したように、
レンズ構造体１０８，１１０はＬＥＤチップ１０７から離隔してパッケージ本体１０１の上面に付着されている。レンズ構造体１０８，１１０は、レンズ１０８と、レンズ１０８の下面に形成された蛍光体含有樹脂膜１１０とを含んでいる
イ　図２は、以下のものである。
ウ　してみると、引用文献５には、以下の技術事項が記載されていると認められる。
「ＬＥＤパッケージ１００は、凹部１０９を有するパッケージ本体１０１と、このパッケージ本体１０１に搭載されたＬＥＤチップ１０７とを備え、レンズ構造体１０８，１１０はＬＥＤチップ１０７から離隔してパッケージ本体１０１の上面に付着され、レンズ構造体１０８，１１０は、レンズ１０８と、レンズ１０８の下面に形成された蛍光体含有樹脂膜１１０とを含む。」
７　その他の文献について
　また、特開２００９−２７００９１号公報（以下「引用文献６」という。）には、図面とともに次の事項が記載されている。
ア「【０１０６】
  また、本実施形態において、図６に示すように、ドーム状の封止部１９を複数枚重ねて積層構造を有するドーム状の封止部を形成しても良い。
  積層構造における各々のドーム状封止部１９ａ、１９ｂ、１９ｃはそれぞれ赤色、緑色、青色蛍光体を含有する蛍光ガラスから形成されている。しかして、各々のドーム状封止部の各色蛍光体が励起されてそれぞれが固有の発光を呈し、その合成光として、例えば白色光が得られることになる。
【０１０７】
  ここで、
積層の順序は、特に限定されず、蛍光体の特性、その他の要因を検討して、適宜配置される。
（ｉ）光劣化しやすい蛍光体を半導体発光素子２に最も遠くなるように上面の層に配置する、
（ｉｉ）水分により劣化しやすい蛍光体を半導体発光素子２に最も近くなるように下面の層に配置する。これにより蛍光体を外気から遠ざけ、水分劣化を抑制する。
（ｉｉｉ）硫黄成分を含有する蛍光体を積層の中間に配置する。これにより外気の水分劣化を抑制し、半導体発光素子２の硫黄成分による黒変などを抑制する。」
イ　図６は、以下のものである。
ウ　してみると、引用文献６には、以下の技術事項が記載されていると認められる。
「積層の順序は、特に限定されず、蛍光体の特性、その他の要因を検討して、適宜配置される。」
第５　対比・判断
１　本願発明１について
（１）引用発明１との対比
ア　引用発明１の「青色ＬＥＤチップ１０３」は、本願発明１の「光源」に相当し、引用発明１の「青色ＬＥＤチップ１０３の表面」は、本願発明１の「予め定められた色スペクトルの光源光を出射するための発光面」を含んでいる。
　引用発明１の「緑色蛍光体膜４０５と赤色蛍光体膜４０７を使用する白色発光装置４００」は、本願発明１の「蛍光体増強照明装置」に相当する。
　引用発明１において「反射コップ内に実装された青色ＬＥＤチップ１０３」からの光は、「蛍光体膜４０７または４０５」を介して反射コップから外へ出射するものであるから、引用発明１の「反射コップ」は、本願発明１「蛍光体増強照明装置の周囲に光を出射するための光出口窓」を有しているといえる。
　引用発明１で使用される赤色蛍光体及び緑色蛍光体は、無機蛍光体であるから、引用発明１の「青色ＬＥＤチップ１０３の表面に沿って薄く塗布されて」いる「緑色（または、赤色）蛍光体膜４０５または４０７」は、本願発明１の「前記光源光の一部を吸収し、当該吸収された光の一部を第一の色の光に変換する無機発光体を含む第一光変換素子」に相当する。
　引用発明１の「透明樹脂包装部４３０の表面上に」「塗布されて」いる「赤色（または、緑色）蛍光体膜４０７または４０５」と、本願発明１の「前記光源光の一部及び／又は前記第一の色の前記光の一部を吸収し、当該吸収された光の一部を第二の色の光に変換する第一の有機発光体を含む第二光変換素子」とは、共に、「前記光源光の一部及び／又は前記第一の色の前記光の一部を吸収し、当該吸収された光の一部を第二の色の光に変換する発光体を含む第二光変換素子」である点で共通する。
　引用発明１において、緑色蛍光体膜４０５と赤色蛍光体膜４０７が樹脂包装部４３０によって分離されているから、緑色蛍光体膜４０５と赤色蛍光体膜４０７の間にギャップがあるといえる。また、上記のとおり、引用発明１の「反射コップ」は、本願発明１「蛍光体増強照明装置の周囲に光を出射するための光出口窓」を有していることを踏まえると、引用発明１の「緑色（または、赤色）蛍光体膜４０５または４０７が青色ＬＥＤチップ１０３の表面に沿って薄く塗布されており、その上に透明樹脂包装部４３０が形成されており、透明樹脂包装部４３０の表面上に赤色（または、緑色）蛍光体膜４０７または４０５が塗布されて」いることは、本願発明４の「前記第二光変換素子は、光学的に、前記光出口窓と前記光源の前記発光面との間に配置され、前記第一光変換素子は、光学的に、前記第二変換素子と前記光源の前記発光面との間に配置され、前記第一光変換素子と前記第二光変換素子との間には、ギャップが存在し」ていることに相当する。
イ　してみると、本願発明１と引用発明１とは、以下の点で一致している。
「予め定められた色スペクトルの光源光を出射するための発光面を有する光源と、
　蛍光体増強照明装置の周囲に光を出射するための光出口窓と、
　前記光源光の一部を吸収し、当該吸収された光の一部を第一の色の光に変換する無機発光体を含む第一光変換素子と、
　前記光源光の一部及び／又は前記第一の色の前記光の一部を吸収し、当該吸収された光の一部を第二の色の光に変換する発光体を含む第二光変換素子とを備え、
　前記第二光変換素子は、光学的に、前記光出口窓と前記光源の前記発光面との間に配置され、前記第一光変換素子は、光学的に、前記第二変換素子と前記光源の前記発光面との間に配置され、前記第一光変換素子と前記第二光変換素子との間には、ギャップが存在する、
　蛍光体増強照明装置。」
ウ　そして、本願発明１と引用発明１とは、以下の点で相違する。
（ア）相違点１：１の１
　本願発明１は、無機発光体を含む第一光変換素子と有機発光体を含む第二光変換素子の間にはギャップが存在するのに対し、引用発明１は、緑色蛍光体膜４０５と赤色蛍光体膜４０７は共に無機蛍光体を含み、分離されている（ギャップが存在する）点。
（イ）相違点１：１の２
　第一光変換素子と第二光変換素子との間のギャップについて、本願発明１は、「前記ギャップは真空によって形成され又は前記ギャップは流体で充填され」ているのに対し、引用発明１は、「透明樹脂包装部４３０が形成され」ている点。
（ウ）相違点１：１の３
　本願発明１は、「前記第二光変換素子は、前記第一の有機発光体を含み第二の有機発光体を含まない第一の層、及び、前記第二の有機発光体を含み前記第一の有機発光体を含まない第二の層を含む複数の層のスタックである」のに対し、引用発明１の「透明樹脂包装部４３０の表面上」の「蛍光体膜」は、そのような複数の層のスタックでない点。
（２）相違点についての判断
　事案に鑑み、相違点１：１の１について先に検討する。
　
　引用文献３、４に記載されているように「半導体発光素子上に、無機蛍光体を含有する層を配置し、その上に有機蛍光体を含有する層を配置した発光装置」が周知であったとしても、引用発明１の透明樹脂包装部４３０の表面上の蛍光体膜に用いられる赤色蛍光体（ＣａＡｌＳｉＮ３：Ｅｕ及び（Ｃａ、Ｓｒ）Ｓ：Ｅｕ）又は緑色蛍光体（Ａ２ＳｉＯ４：Ｅｕ、ＳｒＧａ２Ｓ４：Ｅｕ及びβ―ＳｉＡｌＯＮ）を有機蛍光体に変え、青色ＬＥＤチップ１０３の表面の蛍光体膜に用いられる緑色蛍光体（Ａ２ＳｉＯ４：Ｅｕ、ＳｒＧａ２Ｓ４：Ｅｕ及びβ―ＳｉＡｌＯＮ）又は赤色蛍光体（ＣａＡｌＳｉＮ３：Ｅｕ及び（Ｃａ、Ｓｒ）Ｓ：Ｅｕ）は変えないとする動機や示唆は、引用文献１には記載されていない。また、引用文献２ないし６にも記載されていない。
　よって、本願発明１の相違点１：１の１に係る構成は、引用発明１及び引用文献２ないし６に記載された技術事項に基づいて容易に想到することができたとはいえない。
　また、相違点１：１の１に係る、無機発光体を含む第一光変換素子と有機発光体を含む第二光変換素子の間にはギャップが存在する構成を含む本願発明１の構成を採用することにより、引用文献１ないし６からは予測し得ない、「カラー外観」を低減するという効果を奏するものである。
　したがって、他の相違点について判断するまでもなく、本願発明１は当業者であっても引用発明１及び引用文献２ないし６に記載された技術事項に基づいて容易に発明できたものであるとはいえない。
（３）引用発明２との対比
ア　引用発明２において、「第１の原色の光の少なくとも一部分を吸収して第２の原色の光を放出するように構成されている第１の発光素子」は、「第１の蛍光体層４１からな」ることから、「チップ２１上に第１の蛍光体層４１が形成された半導体発光デバイス２０」の「チップ２１」は、「第１の原色の光」を放出するものであり、本願発明１の「予め定められた色スペクトルの光源光を出射するための発光面を有する光源」に相当する。
　引用発明２の「照明システム」は、蛍光体材料からなる発光素子を含むから、本願発明１の「蛍光体増強照明装置」に相当する。
　引用発明２において「出力光５２はカップ状部材を覆う部材を透過する」から、引用発明２の「カップ状部材を覆う部材」は、本願発明１の「蛍光体増強照明装置の周囲に光を出射するための光出口窓」に相当するといえる。
　引用発明２の「第１の原色の光の少なくとも一部分を吸収して第２の原色の光を放出するように構成されている第１の発光素子」は、「ＹＡＧ：Ｃｅ、（Ｙ，Ｇｄ）ＡＧ：Ｃｅ、（Ｙ，Ｌｕ）ＡＧ：Ｃｅ、（Ｙ，Ｌｕ，Ｇｄ）ＡＧ：Ｃｅ、及びＬｕＡＧ：Ｃｅ、ＹＡＧＳＮ：Ｃｅ、（Ｙ，Ｌｕ，Ｇｄ）ＡＧＳＮ：Ｃｅ、ＬｕＡＧＳＮ：Ｃｅ及びこれらの何等かの組合せからなるグループから選択された蛍光体材料を備え、または、第１の発光素子は、オキシニトリド・ケイ酸塩蛍光体である蛍光体材料からな」るから、本願発明１の「前記光源光の一部を吸収し、当該吸収された光の一部を第一の色の光に変換する無機発光体を含む第一光変換素子」に相当する。
　引用発明２の「第１または第２の原色の光の少なくとも一部分を吸収して第３の原色の光を放出するように構成されている第２の発光素子」と、本願発明１の「前記光源光の一部及び／又は前記第一の色の前記光の一部を吸収し、当該吸収された光の一部を第二の色の光に変換する第一の有機発光体を含む第二光変換素子」とは、共に、「前記光源光の一部及び／又は前記第一の色の前記光の一部を吸収し、当該吸収された光の一部を第二の色の光に変換する発光体を含む第二光変換素子」である点で共通する。
　引用発明２の「カップ状部材の内側底部に、チップ２１上に第１の蛍光体層４１が形成された半導体発光デバイス２０が配置され、第１の蛍光体層４１から離間して上部に第２の蛍光体層４２，４５が配置され、出力光５２はカップ状部材を覆う部材を透過するものであ」る配置関係は、本願発明１の「前記第二光変換素子は、光学的に、前記光出口窓と前記光源の前記発光面との間に配置され、前記第一光変換素子は、光学的に、前記第二変換素子と前記光源の前記発光面との間に配置され、前記第一光変換素子と前記第二光変換素子との間には、ギャップが存在」する配置関係に相当する。
　引用発明２の「第２の蛍光体層４５は２つの隣接する副層、即ち、第１の蛍光体副層４５ａと第２の蛍光体副層４５ｂとからなる」ことと、本願発明１の「前記第二光変換素子は、前記第一の有機発光体を含み第二の有機発光体を含まない第一の層、及び、前記第二の有機発光体を含み前記第一の有機発光体を含まない第二の層を含む複数の層のスタックである」こととは、共に、「前記第二光変換素子は、前記第一の発光体を含む第一の層、及び、前記第二の発光体を含む第二の層を含む複数の層のスタックである」点で共通する。
イ　してみると、本願発明１と引用発明２とは、以下の点で一致している。
「予め定められた色スペクトルの光源光を出射するための発光面を有する光源と、
　蛍光体増強照明装置の周囲に光を出射するための光出口窓と、
　前記光源光の一部を吸収し、当該吸収された光の一部を第一の色の光に変換する無機発光体を含む第一光変換素子と、
　前記光源光の一部及び／又は前記第一の色の前記光の一部を吸収し、当該吸収された光の一部を第二の色の光に変換する発光体を含む第二光変換素子とを備え、
　前記第二光変換素子は、光学的に、前記光出口窓と前記光源の前記発光面との間に配置され、前記第一光変換素子は、光学的に、前記第二変換素子と前記光源の前記発光面との間に配置され、前記第一光変換素子と前記第二光変換素子との間には、ギャップが存在し、
　前記第二光変換素子は、前記第一の発光体を含む第一の層、及び、前記第二の発光体を含む第二の層を含む複数の層のスタックである、蛍光体増強照明装置。」
ウ　そして、本願発明１と引用発明２とは、以下の点で相違する。
（ア）相違点１：２の１
　本願発明１は、無機発光体を含む第一光変換素子と有機発光体を含む第二光変換素子の間にはギャップが存在するのに対し、引用発明２は、第１の蛍光体層４１と第２の蛍光体層４２，４５は共に無機蛍光体を含み、離間して配置される（ギャップが存在する）点。
（イ）相違点１：２の２
　第一光変換素子と第二光変換素子との間のギャップについて、本願発明１は、「前記ギャップは真空によって形成され又は前記ギャップは流体で充填され」ているのに対し、引用発明２は、何が充填されているか不明である点。
（ウ）相違点１：２の３
　本願発明１は、「前記第二光変換素子は、前記第一の有機発光体を含み第二の有機発光体を含まない第一の層、及び、前記第二の有機発光体を含み前記第一の有機発光体を含まない第二の層を含む複数の層のスタックである」のに対し、引用発明２の「第２の蛍光体層４５」の「隣接する」「第１の蛍光体副層４５ａと第２の蛍光体副層４５ｂ」は共に無機の蛍光体材料からなり、「第１の蛍光体副層４５ａと第２の蛍光体副層４５ｂ」とに共通に含まれる蛍光体材料がないか不明である点。
（４）相違点についての判断
　事案に鑑み、相違点１：２の１について先に検討する。
　引用文献３、４に記載されているように「半導体発光素子上に、無機蛍光体を含有する層を配置し、その上に有機蛍光体を含有する層を配置した発光装置」が周知であったとしても、引用発明２の第２の蛍光体層４２，４５に用いられる蛍光体材料（ＳＣＳＮ：Ｅｕ、ＳＳＮ：Ｅｕ、ＢＳＳＮ：Ｅｕ、（Ｙ，Ｇｄ）ＡＧ：Ｃｅ、（Ｙ，Ｌｕ）ＡＧ：Ｃｅ、（Ｙ，Ｌｕ，Ｇｄ）ＡＧ：Ｃｅ、ＹＡＧ：Ｃｅ、ＬｕＡＧ：Ｃｅ、ＬｕＡＧＳＮ：Ｃｅ、ＴＧ：Ｅｕ、ＳＳＯＮ：Ｅｕ、ＹＡＧＳＮ：Ｃｅ、ＳＣＡＳＮ：Ｅｕ、ＣＡＳＮ：Ｅｕ、（Ｃａ，Ｓｒ）Ｓ：Ｅｕ、ＳｒＳ：Ｅｕ、ＣａＳ：Ｅｕ、ＢＯＳＥ）を有機蛍光体に変え、第１の蛍光体層４１に用いられる蛍光体材料は変えないとする動機や示唆は、引用文献２には記載されていない。また、引用文献１、引用文献３ないし６にも記載されていない。
　よって、本願発明１の相違点１：２の１に係る構成は、引用発明２及び引用発明１、引用文献３〜６に記載された技術事項に基づいて容易に想到することができたとはいえない。
　また、相違点１：２の１に係る、無機発光体を含む第一光変換素子と有機発光体を含む第二光変換素子の間にはギャップが存在する構成を含む本願発明１の構成を採用することにより、引用文献１ないし６からは予測し得ない、「カラー外観」を低減するという効果を奏するものである。
　したがって、他の相違点について判断するまでもなく、本願発明１は当業者であっても引用発明２、引用発明１、引用文献３〜６に記載された技術事項に基づいて容易に発明できたものであるとはいえない。
２　本願発明２、３、７〜１４について
　本願発明２、３、７〜１４も、本願発明１の相違点１：１の１に係る構成又は相違点１：２の１に係る構成と同一の構成、つまり、無機発光体を含む第一光変換素子と有機発光体を含む第二光変換素子の間にはギャップが存在する構成を備えるものであるから、本願発明１と同じ理由により、当業者であっても、引用発明１、引用発明２、引用文献３〜６に記載された技術的事項に基づいて容易に発明できたものとはいえない。
３　本願発明４について
（１）引用発明１との対比
ア　引用発明１の「青色ＬＥＤチップ１０３」は、本願発明４の「光源」に相当し、引用発明１の「青色ＬＥＤチップ１０３の表面」は、本願発明４の「予め定められた色スペクトルの光源光を出射するための発光面」を含んでいる。
　引用発明１の「緑色蛍光体膜４０５と赤色蛍光体膜４０７を使用する白色発光装置４００」は、本願発明４の「蛍光体増強照明装置」に相当する。
　引用発明１において「反射コップ内に実装された青色ＬＥＤチップ１０３」からの光は、「蛍光体膜４０７または４０５」を介して反射コップから外へ出射するものであるから、引用発明１の「反射コップ」は、本願発明４の「蛍光体増強照明装置の周囲に光を出射するための光出口窓」を有しているといえる。
　引用発明１で使用される赤色蛍光体及び緑色蛍光体は、無機蛍光体であるから、引用発明１の「青色ＬＥＤチップ１０３の表面に沿って薄く塗布されて」いる「緑色（または、赤色）蛍光体膜４０５または４０７」は、本願発明４の「前記光源光の一部を吸収し、当該吸収された光の一部を第一の色の光に変換する無機発光体を含む第一光変換素子」に相当する。
　引用発明１の「透明樹脂包装部４３０の表面上に」「塗布されて」いる「赤色（または、緑色）蛍光体膜４０７または４０５」と、本願発明４の「前記光源光の一部及び／又は前記第一の色の前記光の一部を吸収し、当該吸収された光の一部を第二の色の光に変換する第一の有機発光体を含む第二光変換素子」とは、共に、「前記光源光の一部及び／又は前記第一の色の前記光の一部を吸収し、当該吸収された光の一部を第二の色の光に変換する第一の発光体を含む第二光変換素子」である点で共通する。
　引用発明１において、緑色蛍光体膜４０５と赤色蛍光体膜４０７が樹脂包装部４３０によって分離されているから、緑色蛍光体膜４０５と赤色蛍光体膜４０７の間にギャップがあるといえる。また、上記のとおり、引用発明１の「反射コップ」は、本願発明４の「蛍光体増強照明装置の周囲に光を出射するための光出口窓」を有していることを踏まえると、引用発明１の「緑色（または、赤色）蛍光体膜４０５または４０７が青色ＬＥＤチップ１０３の表面に沿って薄く塗布されており、その上に透明樹脂包装部４３０が形成されており、透明樹脂包装部４３０の表面上に赤色（または、緑色）蛍光体膜４０７または４０５が塗布されて」いることは、本願発明４の「前記第二光変換素子は、光学的に、前記光出口窓と前記光源の前記発光面との間に配置され、前記第一光変換素子は、光学的に、前記第二変換素子と前記光源の前記発光面との間に配置され、前記第一光変換素子と前記第二光変換素子との間には、ギャップが存在し」ていることに相当する。
　引用発明１の「緑色（または、赤色）蛍光体膜４０５または４０７が青色ＬＥＤチップ１０３の表面に沿って薄く塗布されて」いることと、本願発明４の「前記第一光変換素子は、前記第一光変換素子の底面が前記光源の前記発光面に接するように前記光源の前記発光面直上に配置されて、前記第一光変換素子の底面が前記光源の前記発光面と実質的に同じ大きさで存在する」こととは、共に、「前記第一光変換素子は、前記第一光変換素子の底面が前記光源の前記発光面に接するように前記光源の前記発光面直上に配置され」ている点で共通する。
イ　してみると、本願発明４と引用発明１とは、以下の点で一致している。
「予め定められた色スペクトルの光源光を出射するための発光面を有する光源と、
　蛍光体増強照明装置の周囲に光を出射するための光出口窓と、
　前記光源光の一部を吸収し、当該吸収された光の一部を第一の色の光に変換する無機発光体を含む第一光変換素子と、
　前記光源光の一部及び／又は前記第一の色の前記光の一部を吸収し、当該吸収された光の一部を第二の色の光に変換する発光体を含む第二光変換素子とを備え、
　前記第二光変換素子は、光学的に、前記光出口窓と前記光源の前記発光面との間に配置され、前記第一光変換素子は、光学的に、前記第二変換素子と前記光源の前記発光面との間に配置され、前記第一光変換素子と前記第二光変換素子との間には、ギャップが存在し、
　前記第一光変換素子は、前記第一光変換素子の底面が前記光源の前記発光面に接するように前記光源の前記発光面直上に配置されている、
蛍光体増強照明装置。」
ウ　そして、本願発明４と引用発明１とは、以下の点で相違する。
（ア）相違点４：１の１
　本願発明４は、無機発光体を含む第一光変換素子と有機発光体を含む第二光変換素子の間にはギャップが存在するのに対し、引用発明１は、緑色蛍光体膜４０５と赤色蛍光体膜４０７は共に無機蛍光体を含み、分離されている（ギャップが存在する）点。
（イ）相違点４：１の２
　第一光変換素子と第二光変換素子との間のギャップについて、本願発明４は、「前記ギャップは真空によって形成され又は前記ギャップは流体で充填され」ているのに対し、引用発明１は、「透明樹脂包装部４３０が形成され」ている点。
（ウ）相違点４：１の３
　本願発明４は、第一光変換素子の底面が光源の発光面と実質的に同じ大きさで存在するのに対し、引用発明１は、「緑色（または、赤色）蛍光体膜４０５または４０７が青色ＬＥＤチップ１０３の表面に沿って薄く塗布されて」おり、青色ＬＥＤチップ１０３の側面の表面にも塗布されている分、蛍光体膜が広く存在する点。
（２）相違点についての判断
　事案に鑑み、相違点４：１の１について先に検討する。
　相違点４：１の１は、上記相違点１：１の１と同じであるから、相違点１：１の１についての判断と同様に、本願発明１の相違点４：１の１に係る構成は、引用発明１及び引用文献２ないし６に記載された技術事項に基づいて容易に想到することができたとはいえない。
　また、相違点４：１の１に係る、無機発光体を含む第一光変換素子と有機発光体を含む第二光変換素子の間にはギャップが存在する構成を含む本願発明４の構成を採用することにより、引用文献１ないし６からは予測し得ない、「カラー外観」を低減するという効果を奏するものである。
　したがって、他の相違点について判断するまでもなく、本願発明４は当業者であっても引用発明１及び引用文献２ないし６に記載された技術事項に基づいて容易に発明できたものであるとはいえない。
（３）引用発明２との対比
ア　引用発明２において、「第１の原色の光の少なくとも一部分を吸収して第２の原色の光を放出するように構成されている第１の発光素子」は、「第１の蛍光体層４１からな」ることから、「チップ２１上に第１の蛍光体層４１が形成された半導体発光デバイス２０」の「チップ２１」は、「第１の原色の光」を放出するものであり、本願発明４の「予め定められた色スペクトルの光源光を出射するための発光面を有する光源」に相当する。
　引用発明２の「照明システム」は、蛍光体材料からなる発光素子を含むから、本願発明４の「蛍光体増強照明装置」に相当する。
　引用発明２において「出力光５２はカップ状部材を覆う部材を透過する」から、引用発明２の「カップ状部材を覆う部材」は、本願発明４の「蛍光体増強照明装置の周囲に光を出射するための光出口窓」に相当するといえる。
　引用発明２の「第１の原色の光の少なくとも一部分を吸収して第２の原色の光を放出するように構成されている第１の発光素子」は、「ＹＡＧ：Ｃｅ、（Ｙ，Ｇｄ）ＡＧ：Ｃｅ、（Ｙ，Ｌｕ）ＡＧ：Ｃｅ、（Ｙ，Ｌｕ，Ｇｄ）ＡＧ：Ｃｅ、及びＬｕＡＧ：Ｃｅ、ＹＡＧＳＮ：Ｃｅ、（Ｙ，Ｌｕ，Ｇｄ）ＡＧＳＮ：Ｃｅ、ＬｕＡＧＳＮ：Ｃｅ及びこれらの何等かの組合せからなるグループから選択された蛍光体材料を備え、または、第１の発光素子は、オキシニトリド・ケイ酸塩蛍光体である蛍光体材料からな」るから、本願発明４の「前記光源光の一部を吸収し、当該吸収された光の一部を第一の色の光に変換する無機発光体を含む第一光変換素子」に相当する。
　引用発明２の「第１または第２の原色の光の少なくとも一部分を吸収して第３の原色の光を放出するように構成されている第２の発光素子」と、本願発明４の「前記光源光の一部及び／又は前記第一の色の前記光の一部を吸収し、当該吸収された光の一部を第二の色の光に変換する第一の有機発光体を含む第二光変換素子」とは、共に、「前記光源光の一部及び／又は前記第一の色の前記光の一部を吸収し、当該吸収された光の一部を第二の色の光に変換する発光体を含む第二光変換素子」である点で共通する。
　引用発明２の「カップ状部材の内側底部に、チップ２１上に第１の蛍光体層４１が形成された半導体発光デバイス２０が配置され、第１の蛍光体層４１から離間して上部に第２の蛍光体層４２，４５が配置され、出力光５２はカップ状部材を覆う部材を透過するものであ」る配置関係は、本願発明４の「前記第二光変換素子は、光学的に、前記光出口窓と前記光源の前記発光面との間に配置され、前記第一光変換素子は、光学的に、前記第二変換素子と前記光源の前記発光面との間に配置され、前記第一光変換素子と前記第二光変換素子との間には、ギャップが存在」する配置関係に相当する。
　引用発明２の「チップ２１上に第１の蛍光体層４１が形成された」ことと、本願発明４の「前記第一光変換素子は、前記第一光変換素子の底面が前記光源の前記発光面に接するように前記光源の前記発光面直上に配置されて、前記第一光変換素子の底面が前記光源の前記発光面と実質的に同じ大きさで存在する」とは、共に、「前記第一光変換素子は、前記光源の前記発光面直上に配置されて」いる点で共通する。
イ　してみると、本願発明４と引用発明２とは、以下の点で一致している。
「予め定められた色スペクトルの光源光を出射するための発光面を有する光源と、
　蛍光体増強照明装置の周囲に光を出射するための光出口窓と、
　前記光源光の一部を吸収し、当該吸収された光の一部を第一の色の光に変換する無機発光体を含む第一光変換素子と、
　前記光源光の一部及び／又は前記第一の色の前記光の一部を吸収し、当該吸収された光の一部を第二の色の光に変換する発光体を含む第二光変換素子とを備え、
　前記第二光変換素子は、光学的に、前記光出口窓と前記光源の前記発光面との間に配置され、前記第一光変換素子は、光学的に、前記第二変換素子と前記光源の前記発光面との間に配置され、前記第一光変換素子と前記第二光変換素子との間には、ギャップが存在し、
　前記第一光変換素子は、前記光源の前記発光面直上に配置されている、
蛍光体増強照明装置。」
ウ　そして、本願発明４と引用発明２とは、以下の点で相違する。
（ア）相違点４：２の１
　本願発明１は、無機発光体を含む第一光変換素子と有機発光体を含む第二光変換素子の間にはギャップが存在するのに対し、引用発明２は、第１の蛍光体層４１と第２の蛍光体層４２，４５は共に無機蛍光体を含み、離間して配置される（ギャップが存在する）点。
（イ）相違点４：２の２
　第一光変換素子と第二光変換素子との間のギャップについて、本願発明４は、「前記ギャップは真空によって形成され又は前記ギャップは流体で充填され」ているのに対し、引用発明２は、何が充填されているか不明である点。
（ウ）相違点４：２の３
　本願発明４は、第一光変換素子の底面が光源の発光面に接するように配置され、第一光変換素子の底面が光源の発光面と実質的に同じ大きさで存在するのに対し、引用発明２は、チップ２１上の第１の蛍光体層４１が接するように配置されているか不明であり、チップ２１の上面と第１の蛍光体層４１の底面が実質的に同じであるか不明である点。
（４）相違点についての判断
　事案に鑑み、相違点４：２の１について先に検討する。
　相違点４：２の１は、上記相違点１：２の１と同じであるから、相違点１：２の１についての判断と同様に、本願発明４の相違点４：２の１に係る構成は、引用発明２及び引用文献１、引用文献３ないし６に記載された技術事項に基づいて容易に想到することができたとはいえない。
　また、相違点４：２の１に係る、無機発光体を含む第一光変換素子と有機発光体を含む第二光変換素子の間にはギャップが存在する構成を含む本願発明４の構成を採用することにより、引用文献１ないし６からは予測し得ない、「カラー外観」を低減するという効果を奏するものである。
　したがって、他の相違点について判断するまでもなく、本願発明４は当業者であっても引用発明２及び引用発明１、引用文献３〜６に記載された技術事項に基づいて容易に発明できたものであるとはいえない。
４　本願発明５、６、１３、１４について
　本願発明５、６、１３、１４も、本願発明４の相違点４：１の１に係る構成又は相違点４：２の１に係る構成と同一の構成、つまり、無機発光体を含む第一光変換素子と有機発光体を含む第二光変換素子の間にはギャップが存在する構成を備えるものであるから、本願発明４と同じ理由により、当業者であっても、引用発明２、引用発明１、引用文献３〜６に記載された技術的事項に基づいて容易に発明できたものとはいえない。
第６　原査定について
　本願発明１〜１４の、無機発光体を含む第一光変換素子と有機発光体を含む第二光変換素子の間にはギャップが存在する構成は、原査定において引用された引用文献１〜５には記載されておらず、本願の優先日における周知技術でもないので、本願発明１〜１４は、当業者であっても、引用文献１〜５に基づいて容易に発明できたものではない。
　したがって、原査定を維持することはできない。
第７　むすび
　以上のとおり、原査定の理由によって、本願を拒絶することはできない。
　他に本願を拒絶すべき理由を発見しない。
　よって、結論のとおり審決する。